(57)【特許請求の範囲】
【請求項１】
ＬＥＤをマトリクス状に配列し、任意の画像や文字を表示させる主表示部と、主表示部を装飾するための副表示部と、環境を検出するセンサーの検出信号に基づいて主表示部および副表示部を点灯制御する点灯制御回路とを具備したＬＥＤ表示装置において、環境を検出するセンサーからの検出信号に応じて副表示部のみの表示パターンを変化させ、主表示部の表示内容を乱すことなく通行人の視線を誘導し、ＬＥＤ表示装置の注目度を向上させることを特徴とするＬＥＤ表示装置。
【請求項２】
前記センサーを表示装置より離れた場所に配置し、センサーからの検出信号を通信手段などを用いて点灯制御回路に伝送することを特徴とする請求項１記載のＬＥＤ表示装置。
【請求項３】
前記センサーが複数個設けられ、複数のセンサーからの検出信号の組み合わせに応じて副表示部の表示パターンを変化させる点灯制御回路を設けたことを特徴とする請求項１または請求項２記載のＬＥＤ表示装置。
【請求項４】
前記センサーが人体を検出するものであり、このセンサーからの検出信号により副表示部の表示パターンを変化させることを特徴とする請求項１、請求項２または請求項３記載のＬＥＤ表示装置。
【請求項５】
前記センサーが音を検出するものであり、このセンサーからの検出信号により副表示部の表示パターンを変化させることを特徴とする請求項１、請求項２または請求項３記載のＬＥＤ表示装置。
【請求項６】
前記センサーが光を検出するものであり、このセンサーからの検出信号により副表示部の表示パターンを変化させることを特徴とする請求項１、請求項２または請求項３記載のＬＥＤ表示装置。
【請求項７】
前記センサーが風向を検出するものであり、このセンサーからの検出信号により副表示部の表示パターンを変化させることを特徴とする請求項１、請求項２または請求項３記載のＬＥＤ表示装置。
【請求項８】
前記センサーが風速を検出するものであり、このセンサーからの検出信号により副表示部の表示パターンを変化させることを特徴とする請求項１、請求項２または請求項３記載のＬＥＤ表示装置。
【請求項９】
前記センサーが気温を検出するものであり、このセンサーからの検出信号により副表示部の表示パターンを変化させることを特徴とする請求項１、請求項２または請求項３記載のＬＥＤ表示装置。
【請求項１０】
前記センサーが臭気を検出するものであり、このセンサーからの検出信号により副表示部の表示パターンを変化させることを特徴とする請求項１、請求項２または請求項３記載のＬＥＤ表示装置。
【請求項１１】
前記センサーが霧を検出するものであり、このセンサーからの検出信号により副表示部の表示パターンを変化させることを特徴とする請求項１、請求項２または請求項３記載のＬＥＤ表示装置。
【発明の詳細な説明】
【０００１】
【発明の属する技術分野】
本発明は、文字や任意の画像などを表示するＬＥＤ表示装置に関する。
【０００２】
【従来の技術】
一般に、ＬＥＤ表示装置では、文字や画像を表示するに際して、表示する文字や画像を点滅させたり、様々な動きや画面を切り替えるなどして、通行人などにその表示内容を注目させるようにしている。
【０００３】
また、文字や画像を表示する主表示部以外に、主表示部を装飾するための副表示部としてＬＥＤを主表示部の周囲やコーナー部に配置し、副表示部を様々なパターンで点滅させることにより、主表示部の表示内容に注目させることも提案されている。
【０００４】
さらに、表示装置にセンサー、例えば、人体を感知するセンサーを設け、通行人のいないときには表示をしないように制御し、通行人をセンサーで感知したときのみ文字や画像を表示したり、その表示内容を切り替えたりすることも知られている。
【０００５】
【発明が解決しようとしている課題】
しかしながら、主表示部を装飾する副表示部の表示パターンとしては、予め用意された複数の表示パターンのなかから表示装置の使用者が選択した好みの表示パターン、あるいは、主表示部の表示内容の変化と同期してソフトウェア的に変化する表示パターンなどが採用されている。したがって、予め用意された表示パターンのなかから使用者が任意に選択した副表示部の表示パターンでは、その表示パターンが常に繰り返されることになり、また、主表示部の表示内容に同期して副表示部の表示パターンを切り替える場合においては、その表示パターンが一定の周期で繰り返される結果、副表示部の表示パターンも数種類のパターンが繰り返されることになる。このため、長期的には、通行人はいつも同じ副表示部の表示パターンを見ることになるので、主表示部の装飾効果は表示期間が長くなるにつれ減少するという欠点がある。
【０００６】
一方、センサーを具備し、センサーの感知状況に応じて表示内容を切り替える場合においては、通行人の多い場所などでは同じ表示パターンが継続したり、文字などをスクロール表示している場合にその途中でセンサーに反応して別の表示内容に切り替えることになり、本来伝えたいメッセージが伝えられないという欠点がある。
【０００７】
本発明は、このような問題点に鑑みてなされもので、文字や画像を表示する主表示部を装飾する副表示部の表示パターンのみをセンサーの検出信号に応じて変化させることのできるＬＥＤ表示装置を提供するものである。
【０００８】
【課題を解決するための手段】
本発明は、ＬＥＤをマトリクス状に配列し、任意の画像や文字を表示させる主表示部と、主表示部を装飾するための副表示部と、環境を検出するセンサーの検出信号に基づいて主表示部および副表示部を点灯制御する点灯制御回路とを具備したＬＥＤ表示装置において、環境を検出するセンサーからの検出信号に応じて副表示部のみの表示パターンを変化させ、主表示部の表示内容を乱すことなく通行人の視線を誘導し、ＬＥＤ表示装置の注目度を向上させることを特徴とするものである。
【０００９】
この発明によれば、副表示部の表示パターンのみをセンサーの感知状況に応じて変化させることができ、主表示部の表示内容や表示順序を乱すことなく主表示部を装飾することができ、長期間においても副表示部の表示パターンは一定化することがなく、効果的な表示を行うことができる。
【００１０】
ここで、副表示部の表示パターンとしては、ＬＥＤなどの点灯や非点灯、ＬＥＤなどの点灯や非点灯に際しての点灯箇所やその個数、ＬＥＤなどの点滅、ＬＥＤなどの点滅に際しての点滅箇所やその個数および点滅スピード、点灯するＬＥＤの色などが挙げられる。
【００１１】
また、本発明は、センサーを表示装置より離れた場所に配置し、センサーからの検出信号を通信手段などを用いて点灯制御回路に伝送することを特徴とするものである。
【００１２】
この発明によれば、ＬＥＤ表示装置から離れた場所の環境に応じて副表示部の表示パターンを変化させることができる。
【００１３】
さらに、本発明は、センサーが複数個設けられ、複数のセンサーからの検出信号の組み合わせに応じて副表示部の表示パターンを変化させる点灯制御回路を設けたことを特徴とするものである。
【００１４】
この発明によれば、複数個のセンサーの感知状況の組み合わせによって副表示部の表示パターンを変化させることができる。例えば、一のセンサーによって副表示部の点灯と非点灯を制御し、他のセンサーによって点滅スピードや点滅箇所や点滅個数などを制御することができる。
【００１５】
本発明において、センサーが人体を検出するものであると、例えば、通行人がいないときには副表示部を点灯させず、通行人がいるときのみ副表示部を点灯させて通行人の視線を誘導することができる。
【００１６】
本発明において、センサーが音を検出するものであると、例えば、通行人の会話の音声レベルによって副表示部の点滅スピードを変えることで通行人の視線を誘導することができる。
【００１７】
本発明において、センサーが光を検出するものであると、例えば、車のヘッドライトの光量やＬＥＤ表示装置近傍のネオンサインの点滅動作に応じて副表示部の点滅パターンを変化させることができる。
【００１８】
本発明において、センサーが風向を検出するものであると、例えば、風向に応じて副表示部の点滅箇所を変えることで主表示部の装飾とともに風向を通行人などに明示することができる。
【００１９】
本発明において、センサーが風速を検出するものであると、例えば、風速に応じて副表示部の点灯個数や点滅スピードを変えることで主表示部の装飾とともに風速を通行人などに明示することができる。
【００２０】
本発明において、センサーが気温を検出するものであると、例えば、気温に応じてＬＥＤの点灯個数や点灯するＬＥＤの色を変化させることで主表示部の装飾とともに気温を通行人などに明示することができる。
【００２１】
本発明において、センサーが臭気を検出するものであると、例えば、有毒ガスなどの発生を検出したときに、副表示部を激しく点滅させることで通行人などに警報的な表示を行うことができる。
【００２２】
本発明において、センサーが霧を検出するものであると、例えば、霧の発生を検出したときに、副表示部を激しく点滅させることで通行人などに警報的な表示を行うことができる。
【００２３】
【発明の実施の形態】
以下、本発明のＬＥＤ表示装置の実施の形態を図面を参照して説明する。
【００２４】
図１には、本発明のＬＥＤ表示装置１の一実施形態が示されている。
このＬＥＤ表示装置１は、ＬＥＤ１０をマトリクス状に配列した主表示部２と、この主表示部２の周囲に異なる色のＬＥＤ１０を設定間隔をおいて交互に配列した副表示部３と、から構成され、主表示部２のＬＥＤ１０を点灯制御して文字や画像を表示することができるとともに、副表示部３のＬＥＤを点灯制御して主表示部２を装飾することができる。例えば、図１には、主表示部２において、設定されたＬＥＤ１０を点灯制御して「営業中」の文字を表示するとともに、副表示部３において、設定された色のＬＥＤ１０を順に点灯制御して主表示部２を装飾する場合が示されている。
【００２５】
また、図２には、本発明のＬＥＤ表示装置１の他の実施形態が示されており、この実施形態のＬＥＤ表示装置１においては、主表示部２の下部に同色のＬＥＤ１０をブロック状に配列するとともに、ブロック毎にＬＥＤ１０の色が異なる副表示部３を設けて構成されている。さらに、図３に示した本発明のＬＥＤ表示装置１の別の実施形態においては、主表示部２の四隅に異なる色のＬＥＤ１０を十字状に配列した副表示部３を設けて構成されている。これらの図２および図３においても、主表示部２において、設定されたＬＥＤ１０を点灯制御することにより、「営業中」の文字を表示する場合が例示されている。
【００２６】
このようなＬＥＤ表示装置１を点灯制御する制御装置４としては、例えば、図４に示すような回路構成が採用される。すなわち、制御装置４は、ＬＥＤ表示装置１に内蔵され、ＬＥＤ表示装置１近傍の環境を検出するセンサーＳと、センサーＳからの検出信号が入力され、その検出信号に基づいて、例えば、センサーＳからのアナログ量に応じたデジタル信号を出力するセンサー制御回路５と、センサー制御回路５からのデジタル信号を受けて主表示部２のＬＥＤ１０および副表示部３のＬＥＤ１０を点灯制御する点灯制御回路６と、から構成されている。そして、点灯制御回路６は、センサーＳによってＬＥＤ表示装置１近傍の環境変化に応じた出力がなされると、センサー制御回路５を介して作動し、主表示部２の設定されたＬＥＤ１０を点灯させて文字や画像を表示するとともに、副表示部３の設定されたＬＥＤを点灯させて主表示部２を装飾するように制御する。
【００２７】
この結果、ＬＥＤ表示装置１の設置場所近傍の環境変化に応じて副表示部３の表示パターンを変化させることができる。
【００２８】
この場合、点灯制御回路６を、主表示部２を点灯制御する点灯制御回路と、副表示部３を点灯制御する点灯制御回路とによって個別に制御するようにしてもよい。
【００２９】
また、ＬＥＤ表示装置１を点灯制御する場合において、ＬＥＤ表示装置１の設置場所から離れた位置の環境変化を検出するセンサーＳを設けた場合の制御装置４としては、図５に示すように、センサー制御回路５の後段に送信回路７を接続するとともに、点灯制御回路６の前段に受信回路８を接続すればよい。この場合、センサーＳからの検出信号は、センサー制御回路５を経て送信回路７から有線または無線により受信回路８に出力され、受信回路８を経て点灯制御回路６に入力される。そして、点灯制御回路６は、センサーＳからの検出信号に基づいてＬＥＤ表示装置１の主表示部２および副表示部３を点灯制御する。
【００３０】
この結果、ＬＥＤ表示装置１から離れた場所の環境変化に応じて副表示部３の表示パターンを変化させることができる。
【００３１】
さらに、ＬＥＤ表示装置１を点灯制御する制御装置４において、ＬＥＤ表示装置１近傍の環境を検出するセンサーＳとして、ＬＥＤ表示装置１に複数個のセンサーＳ１，Ｓ２を内蔵するようにしてもよい（図６参照）。
【００３２】
このように、複数個のセンサーＳ１，Ｓ２を設けると、複数個のセンサーＳ１，Ｓ２からの検出信号を組み合わせて副表示部３の表示パターンを変化させることができる。例えば、一のセンサーＳ１からの信号によって点灯、非点灯を制御するとともに、他のセンサーＳ２からの信号によって点滅させるなどの制御を行うことができる。
【００３３】
この場合、複数個のセンサーＳ１，Ｓ２をＬＥＤ表示装置１から離れた位置に配置し、ＬＥＤ表示装置１の設置場所から離れた位置の環境変化を検出するようにしてもよい。
【００３４】
【発明の効果】
以上のように本発明によれば、センサーの感知状況に応じて副表示部のみの表示パターンを変化させることにより、主表示部の表示内容を乱すことなく通行人の視線を誘導し、ＬＥＤ表示装置の注目度を向上させることができる。
【図面の簡単な説明】
【図１】ＬＥＤ表示装置の一実施形態を示す正面図である。
【図２】ＬＥＤ表示装置の他の実施形態を示す正面図である。
【図３】ＬＥＤ表示装置の別の実施形態を示す正面図である。
【図４】ＬＥＤ表示装置の制御回路の一実施形態を示す概略ブロック図である。
【図５】ＬＥＤ表示装置の制御回路の他の実施形態を示す概略ブロック図である。
【図６】ＬＥＤ表示装置の制御回路の別の実施形態を示す概略ブロック図である。
【符号の説明】
１  ＬＥＤ表示装置
２  主表示部
３  副表示部
４  制御回路
５  センサー制御回路
６  点灯制御回路
７  送信回路
８  受信回路
１０  ＬＥＤ
Ｓ，Ｓ１，Ｓ２  センサー
【図１】
0003738382.tif 000002
【図２】
0003738382.tif 000003
【図３】
0003738382.tif 000004
【図４】
0003738382.tif 000005
【図５】
0003738382.tif 000006
【図６】
0003738382.tif 000007